(57)【要約】【課題】記録媒体の定着不良によるインクジェット記録装置内へのインクの再転写を無くし、次ページからの画質を良好に保つことができるインクジェット記録装置を提供すること。【解決手段】回復処理を行う時に記録媒体をバックフィードする速度を記録Ｄｕｔｙに基づいて変化させる。【選択図】図７
2015013393.tif 000002
【特許請求の範囲】
【請求項１】
第１方向に搬送される記録媒体上の記録部にインクを吐出して記録を行う記録手段と、
記録媒体を第１方向および第１方向と反対の第２方向とに搬送が可能な搬送手段であり、前記記録手段によって記録が行われる前の記録媒体と接触する搬送部材を備える搬送手段と、
を備えたインクジェット記録装置において、
前記記録手段による記録後に、前記搬送手段が記録媒体を前記第２方向へ搬送する際に、
記録媒体の前記記録部における単位面積あたりの平均記録密度が高いほど、前記記録部が前記搬送部材と接触するまでの時間を長く調整する調整手段を備えることを特徴とするインクジェット記録装置。
【請求項２】
前記調整手段は、前記搬送手段による記録媒体の搬送速度を変えることによって、前記記録部が前記搬送部材と接触するまでの時間を長く調整することを特徴とする請求項１に記載のインクジェット記録装置。
【請求項３】
前記調整手段は、前記搬送手段が第２方向へ記録媒体を搬送する前の待機時間を変えることによって、前記記録部が前記搬送部材と接触するまでの時間を長く調整することを特徴とする請求項１に記載のインクジェット記録装置。
【請求項４】
前記記録手段による記録は、ライン方式であることを特徴とする請求項１ないし請求項３のいずれか１項に記載のインクジェット記録装置。
【発明の詳細な説明】
【技術分野】
【０００１】
本発明は記録ヘッドから記録媒体に対してインクを吐出させて記録を行うインクジェット記録装置に関する。
【背景技術】
【０００２】
プリンタ、複写機、ファクシミリ等において用いられる記録装置は、文字、画像などの記録情報に基づいて、紙やプラスチック薄板等の記録媒体上にドットを形成して記録を行うものである。このような記録装置は、その記録方式として、インクジェット方式、ワイヤドット方式、熱転写方式、レーザービームなどを用いた電子写真方式などが知られている。これらの方式のうち、インクジェット方式の記録装置（インクジェット記録装置）は、記録ヘッドの吐出口からインク（記録液）滴を吐出し、これを記録媒体に付着させてドットを形成するものである。このようなインクジェット記録装置では、用いる記録媒体の種類がそれほど限定されず、また、記録動作が比較的高速であり、しかもその動作に伴う騒音も少ないなど種々の利点を有し広く用いられている。
【０００３】
インクジェット記録装置では、インク滴を吐出する吐出口の集積密度を上げながら、１ドットあたりのインク吐出量を小さくすることで、更なる高解像度画像の記録を実現する。また、より銀塩写真に迫る画質を実現するために、基本となる４色インク（シアン、マゼンタ、イエロー、ブラック）の他に、これらの染料濃度を低くした淡インクを同時に記録する等の多彩な技術が展開されている。更には、この高画質化が進むにつれて懸念される記録スピードの低下も、記録素子の多数化や駆動周波数の向上、更には、記録ヘッドの往復の走査時に記録を行う両方向記録のような記録技術により良好な結果が得られている。
【０００４】
特許文献１には、先行して記録された記録媒体に後続の記録媒体が接触することで、先行の記録媒体上のインクが擦れて画像劣化を引き起こすことを防ぐため、インク乾燥に必要な時間が経過するまで記録動作を保留するインクジェット記録装置が記載されている。その制御方法は、例えば、インク濃度に応じてインク定着のための乾燥時間を設定し、高濃度で記録された記録媒体上の位置を記憶する。そして、次ページの記録媒体の先端が、先行記録媒体の高濃度の記録位置に接触する直前の所定の搬送量に達したときに、乾燥時間が経過しているか否かを判定する。判定の結果、乾燥時間を経過していない場合は、その時間が経過するまで、記録動作を保留させるというものである。
【先行技術文献】
【特許文献】
【０００５】
【特許文献１】特開平７−２０５４１６号公報
【発明の概要】
【発明が解決しようとする課題】
【０００６】
回復動作を行う際に、一旦、記録媒体を記録媒体の搬送方向と反対に送るインクジェット記録装置において、連続的な記録媒体で定着不良が発生する場合、定着不良部のインクがインクジェット記録装置内の搬送部材に転写されてしまう。インクジェット記録装置内にインクが転写されることによって、次ページの記録媒体へ搬送部材からインクが再転写され画像不良を起こす問題に対し、従来、十分な転写防止制御が行われていなかった。
【０００７】
よって本発明は、上記問題点に鑑み、記録媒体の定着不良によるインクジェット記録装置内へのインクの再転写を無くし、次ページからの画質を良好に保つことができるインクジェット記録装置を提供することを目的とする。
【課題を解決するための手段】
【０００８】
そのため本発明のインクジェット記録装置は、第１方向に搬送される記録媒体上の記録部にインクを吐出して記録を行う記録手段と、記録媒体を第１方向および第１方向と反対の第２方向とに搬送が可能な搬送手段であり、前記記録手段によって記録が行われる前の記録媒体と接触する搬送部材を備える搬送手段と、を備えたインクジェット記録装置において、前記記録手段による記録後に、前記搬送手段が記録媒体を前記第２方向へ搬送する際に、記録媒体の前記記録部における単位面積あたりの平均記録密度が高いほど、前記記録部が前記搬送部材と接触するまでの時間を長く調整する調整手段を備えることを特徴とする。
【発明の効果】
【０００９】
本発明によればインクジェット記録装置は、記録媒体の定着不良によるインクジェット記録装置内へのインクの再転写を無くし、次ページからの画質を良好に保つことができる。
【図面の簡単な説明】
【００１０】
【図１】インクジェット記録装置を示す全体構成図である。
【図２】インクジェット記録装置が備える記録ヘッドを示した図である。
【図３】インクジェット記録装置の構成を示すブロック図である。
【図４】搬送部材と全体図を表す図である。
【図５】記録媒体の搬送を表す図である。
【図６】従来と本実施形態のバックフィード時の搬送速度を比較して示した表である。
【図７】電源投入から記録完了までの処理を示したフローチャートである。
【図８】従来と本実施形態のバックフィード時の待機時間を比較して示した表である。
【図９】電源投入から記録完了までの処理を示したフローチャートである。
【発明を実施するための形態】
【００１１】
（第１の実施形態）
以下、図面を参照して本発明の第１の実施形態について説明する。  
なお、本発明はこれらの実施形態のみに限らず、これらをさらに組み合わせたり、この特許請求の範囲に記載された本発明の概念に包含されるあらゆる変更や修正が可能であり、従って本発明の精神に帰属する他の技術にも当然応用することができる。
【００１２】
図１は、本発明の実施形態に係るインクジェット記録装置（以下、単に記録装置ともいう）を示す全体構成図であり、図２は、インクジェット記録装置が備える記録ヘッド（記録部）１を示した図である。本実施形態のインクジェット記録装置は、インクを熱で吐出する記録ヘッド１を備えている。記録ヘッド１は、記録媒体の搬送方向に対し、ブラックインク（Ｂｋ）用の記録ヘッド１１、シアンインク（Ｃ）用の記録ヘッド１２、マゼンタインク（Ｍ）用の記録ヘッド１３、イエローインク（Ｙ）用の記録ヘッド１４がこの順で配列されている。本実施形態の記録装置の記録ヘッドは、記録媒体の幅方向の最大記録幅よりも長い幅方向の寸法を備えているいわゆるライン方式の記録ヘッドであり、この４本の記録ヘッドは、いずれも接しており、各記録ヘッド間のギャップは無い構成となっている。また、待機中の記録ヘッド１の暴露を防止するために、待機中は記録ヘッド１を回復桶部材５によって密接にキャップしている。この４本の記録ヘッドにインクを供給しているのが、各色のインクタンク４０である。記録ヘッド１１には、ブラックインクタンク４１、記録ヘッド１２には、シアンインクタンク４２、記録ヘッド１３には、マゼンタインクタンク４３、記録ヘッド１４には、イエローのインクタンク４４からインクが供給される構成になっている。
【００１３】
また、記録動作では、図１中の矢印の方向に記録媒体Ｐが流れていく構成となっているため、インクはブラックインク（Ｂｋ）、シアンインク（Ｃ）、マゼンタインク（Ｍ）、イエローインク（Ｙ）の順序で吐出される。記録データを受信した後、そのデータに合わせた形でインクを吐出しつつ、記録媒体Ｐが搬送ベルト２によって排紙側へと搬送されていき、排紙口が有する排紙ガイド３により、正常に排紙され且つ綺麗に折りたたまれる構成となっている。
【００１４】
図３は、本実施形態におけるインクジェット記録装置の構成を示すブロック図である。ＣＰＵ０４０１は、記録装置の動作の制御処理やデータ処理等を実行する。プログラムＲＯＭ０４１４は、それらの処理手順等のプログラムが格納され、またワークＲＡＭ０４０６は、それらの処理を実行するためのワークエリアなどとして用いられている。また、各記録ヘッド１１〜１４はヘッド駆動回路０４１２を介してＣＰＵ０４０１と繋がっている。そして、上記の記録処理を行う一連の動作は、インクジェット記録装置に設けられるメインコントローラーとドライバーコントローラによって命令される。
【００１５】
図４は、搬送部材と全体図を表す図であり、図５は、本実施形態の記録装置における記録媒体の搬送を表す図である。
【００１６】
インクジェット記録装置では、記録品質を確認するために複数種類の記録チャートの記録を行って品質を確認する。そして、記録する記録チャートによって、各記録ヘッドから吐出されるドット数が異なる。ドット数が異なるということは、吐出されたインクの定着に要する時間も変化するため、異なる記録チャートでは定着時間を変えなければならない。例えば、図５の様に、低Ｄｕｔｙ（単位面積当たりの打ち込み量（平均記録密度）が少ない）記録チャートと高Ｄｕｔｙ（単位面積当たりの打ち込み量が多い）記録チャートを記録する場合には、高Ｄｕｔｙの記録チャートの方が定着に要する時間が長くなる。
【００１７】
本実施形態において、通紙方向と同じ方向のみの搬送であれば、定着の良し悪しに関わらず、本体の搬送ローラ部材４０１（図４参照）に未定着のインクが転写することはない。しかし、記録ヘッドの吐出状態をワイピングや吸引によって回復させる回復処理が記録中に必要になった場合、記録ヘッドと対向する位置にある記録媒体を一旦退避させるために、通紙方向とは反対の方向に記録媒体を搬送（バックフィード）させる。この時に記録媒体上に未定着のインクがあると、本体の搬送ローラ部材４０１に未定着インクを転写させてしまい、その後のページに未定着インクを再転写してしまう可能性がある。
【００１８】
図６は、従来と本実施形態とのバックフィード時の搬送速度を比較して示した表である。本実施形態では、未定着インクの再転写を防止するために、図６に示すように、回復処理に入る前に、記録媒体に記録された記録Ｄｕｔｙに応じて、バックフィードにおける搬送速度を可変させている。つまり、高Ｄｕｔｙの記録になるほど搬送速度を遅くすることで、高Ｄｕｔｙで記録したインクが定着する時間をかせいでいる。なお、図中のＬＬは、低温、低湿度で温度１５°、湿度１０％、ＪＪは、常温、常湿度で温度２３°、湿度５０％、ＨＨは、高温、高湿度で温度３０°湿度８０％としている。また、一次色とは、４つの記録ヘッドの内の１つを使用した場合であり、二次色とは、４つの記録ヘッドの内の２つを同時に使用した場合である。
【００１９】
図７は、本実施形態における電源投入から記録完了までの処理を示したフローチャートである。以下、このフローチャートに沿って本実施形態における電源投入から記録完了までの処理を説明する。
【００２０】
処理が開始されると、ステップＳ０７０で、インクジェット記録装置の電源がＯＮされ、ステップＳ０７１で、環境（温湿度）検知を行い、認識した環境に本体設定を合わせる。その後ステップＳ０７２で、記録するデータが有るかどうかを確認して、データがあれば、ステップＳ０７３で記録データを受信して、ステップＳ０７４で記録を開始する。その後、ステップＳ０７５で、記録終了までに回復処理が入るかどうかを確認して、回復処理が入らない場合には、ステップＳ０８１に移行して、記録終了となる。そしてステップＳ０７２に戻り、記録するデータが無ければ終了となる。
【００２１】
ステップＳ０７５で、記録終了までに回復処理が入る場合、ステップＳ０７６に移行して、回復処理動作の移行する前の記録Ｄｕｔｙを検知する。そしてステップＳ０７７で回復処理動作に移行し、ステップＳ０７８でバックフィードの搬送速度を図６の表に基づいて回復動作移行前の平均記録Ｄｕｔｙによって可変（調整）させる（平均記録Ｄｕｔｙが一次色１００％、ＨＨ環境の場合は８ｉｐｓに設定する）。ステップＳ０７９で回復処理を行い、その後、ステップＳ０８０で回復処理が終了して、記録を再開し、ステップＳ０７５に戻る。以下、上記のステップＳ０７５移行の処理を実施する。
【００２２】
このようにして、回復処理を行う時に記録媒体をバックフィードする速度を記録Ｄｕｔｙに基づいて変化させる。この動作によって、記録後の記録媒体と接触する搬送ローラ部材への未定着のインク転写を防ぐことが可能となる。
【００２３】
（第２の実施形態）
以下、図面を参照して本発明の第２の実施形態を説明する。なお、本実施形態の基本的な構成は第１の実施形態と同様であるため、以下では特徴的な構成についてのみ説明する。
【００２４】
図８は、従来と本実施形態とのバックフィード時の待機時間を比較して示した表である。本実施形態では、回復に入る前の記録Ｄｕｔｙに応じて、バックフィード動作を行うまでの待機時間を可変させている。図８に示すように、回復処理に入る前に、記録媒体に記録された記録Ｄｕｔｙに応じて、バックフィードする際の待機時間を可変させている。つまり、高Ｄｕｔｙの記録になるほど待機時間を長くすることで、高Ｄｕｔｙで記録したインクが定着する時間をかせいでいる。なお、図８も図６と同様に、図中のＬＬは、低温、低湿度で温度１５°、湿度１０％、ＪＪは、常温、常湿度で温度２３°、湿度５０％、ＨＨは、高温、高湿度で温度３０°湿度８０％としている。また、一次色とは、４つの記録ヘッドの内の１つを使用した場合であり、二次色とは、４つの記録ヘッドの内の２つを同時に使用した場合である。
【００２５】
図９は、本実施形態における電源投入から記録完了までの処理を示したフローチャートである。以下、このフローチャートに沿って本実施形態における電源投入から記録完了までの処理を説明する。
【００２６】
本実施形態における電源投入から記録完了までの処理は、第１の実施形態における電源投入から記録完了までの処理とほぼ同じ処理であるが、ステップＳ０９８における処理が異なる。その他は、まったく同じ処理であるため説明は省略する。
【００２７】
ステップＳ０９７で回復処理動作に移行して、ステップＳ０９８でバックフィード時の待機時間を図８の表に基づいて、回復動作移行前の平均記録Ｄｕｔｙによって可変させる（平均記録Ｄｕｔｙが一次色１００％、ＨＨ環境の場合は２秒間に設定される）。
【００２８】
このようにして、回復処理を行う時に記録媒体をバックフィードする際の待機時間を記録Ｄｕｔｙに基づいて変化させる。この動作によって、搬送ローラ部材への未定着のインク転写を防ぐことが可能となる。
【符号の説明】
【００２９】
１  記録ヘッド
１１  記録ヘッド（ブラック）
１２  記録ヘッド（シアン）
１３  記録ヘッド（マゼンタ）
１４  記録ヘッド（イエロー）
０４０１  ＣＰＵ
０４１２  ヘッド駆動回路
４０１  搬送ローラ部材
【図１】
2015013393.tif 000003
【図２】
2015013393.tif 000004
【図３】
2015013393.tif 000005
【図４】
2015013393.tif 000006
【図５】
2015013393.tif 000007
【図６】
2015013393.tif 000008
【図７】
2015013393.tif 000009
【図８】
2015013393.tif 000010
【図９】
2015013393.tif 000011